(57)【要約】      （修正有）【課題】消費者に積極的に手に取ってもらい、液状香り見本の香りをより多くの消費者に体験してもらうこと。【解決手段】香料を含有した芳香性液体組成物である液状香り見本１０を収容し、収容した液状香り見本１０の香りを外部に放出させる香り提示装置１であって、第１開口部を有する第１収容部２０ａと、第２収容部２０ｂと、括れ部２１とを備える容器本体２、及び第１通気性シート３ａを備え、容器本体２は、第２収容部２０ｂを上方に位置させると、第２収容部２０ｂから第１収容部２０ａに括れ部２１を介して液状香り見本１０が流下又は滴下し、第１収容部２０ａを上方に位置させると、第１収容部２０ａから第２収容部２０ｂに液状香り見本１０が括れ部２１を介して流下又は滴下すると共に、第１通気性シート３ａに付着した液状香り見本１０から外部に香りが放出される。【選択図】図１
2018016410.tif 000002
【特許請求の範囲】
【請求項１】
香料を含有した芳香性液体組成物である香り見本を収容し、収容した該香り見本の香りを外部に放出させる香り提示装置であって、
第１開口部を有し香り見本を収容可能な第１収容部と、香り見本を収容可能な第２収容部と、前記第１収容部と前記第２収容部との間に位置する括れ部とを備える容器本体を備え、
前記第１開口部は、前記容器本体の軸方向における前記括れ部と対向する位置に設けられており、且つ気体は通過させるが液体は通過させない第１通気性シートにより封止されており、
前記容器本体は、前記第２収容部を上方に位置させると、前記第２収容部から前記第１収容部に前記括れ部を介して香り見本が流下又は滴下し、
前記第１収容部を上方に位置させると、前記第１収容部から前記第２収容部に香り見本が前記括れ部を介して流下又は滴下すると共に、前記第１通気性シートに付着した香り見本から外部に香りが放出される、香り提示装置。
【請求項２】
前記第１開口部を封止した前記第１通気性シートを前記容器本体に係止させる第１係止部材を備える請求項１に記載の香り提示装置。
【請求項３】
複数の貫通孔を有し、前記第１開口部を封止した状態の前記第１通気性シートの表面を被覆する第１カバー部材を更に備える請求項１又は２に記載の香り提示装置。
【請求項４】
前記括れ部は、複数の連通管を有し、
前記複数の連通管は、前記容器本体の前記第１収容部と前記第２収容部とを連通させた状態で、前記軸方向と直交する方向に並んで配され、該軸方向における開孔位置が、前記第１収容部及び前記第２収容部のそれぞれの中で異なる高さに位置している請求項１〜３の何れか１項に記載の香り提示装置。
【請求項５】
前記第２収容部は、前記軸方向における前記括れ部と対向する位置に第２開口部を有しており、
前記第２開口部は、前記容器本体の軸方向における前記括れ部と対向する位置に設けられており、且つ気体は通過させるが液体は通過させない第２通気性シートにより封止されており、
前記容器本体は、前記第２収容部を上方に位置させると、前記第２収容部から前記第１収容部に前記括れ部を介して香り見本が流下又は滴下されると共に、前記第２通気性シートに付着した香り見本から外部に香りが放出される、請求項１〜４の何れか１項に記載の香り提示装置。
【請求項６】
前記第２開口部を封止した前記第２通気性シートを前記容器本体に係止させる第２係止部材を備える請求項５に記載の香り提示装置。
【請求項７】
複数の貫通孔を有し、前記第２開口部を封止した状態の前記第２通気性シートの表面を被覆する第２カバー部材を更に備える請求項５又は６に記載の香り提示装置。
【請求項８】
前記複数の連通管は、前記第１開口部及び前記第２開口部と対向配置されている請求項５〜７の何れか１項に記載の香り提示装置。
【請求項９】
前記容器本体は、流下又は滴下される香り見本を視認可能に形成されている請求項１〜８の何れか１項に記載の香り提示装置。
【発明の詳細な説明】
【技術分野】
【０００１】
本発明は、香り提示装置に関し、詳しくは、シャンプーやリンス、柔軟剤等の商品の香りを体験してもらい易くする香り提示装置に関する。
【背景技術】
【０００２】
昨今、例えば、シャンプーやリンス、制汗剤等の化粧品や、柔軟剤やルームフレグランス等の日用品においても、様々な種類の商品が展開されており、それぞれにおいて、他の商品との差別化が図られている。そのような中で、香りによる他商品との差別化は重要な要素の１つであり、様々な香りが再現された商品が多々販売されている。
【０００３】
しかし、香りによる差別化は、実際に消費者に香りを体験してもらわないと分からない部分が多く、また消費者が店頭で商品を開封して香りを確認することもできない。そこで、従来、商品に賦香されているのと同じ香料を含有させた香り見本を、商品の近くに展示して消費者に該商品の香りを自由に体験してもらうことが一般的である（例えば、特許文献１参照）。
【先行技術文献】
【特許文献】
【０００４】
【特許文献１】登録実用新案第３１４３６４４号公報
【発明の概要】
【発明が解決しようとする課題】
【０００５】
しかし、単に商品の近くに香り見本を展示するだけでは、消費者が香り見本を手に取るまでには至らない場合が多い。特に、通常の収容容器に香り見本を入れた場合においては、収容容器の蓋を開けなければ中の香り見本の香りを嗅ぐことはできず、消費者が収容容器の蓋を開けて中の香りを嗅ぐまでに至らない場合が多い。また、気軽に香りを体験してもらうために、収容容器の蓋を開けたままにしておくと、すぐに香料がとんでしまい、多くの消費者に香りを体験してもらうことができない。
【０００６】
したがって本発明の課題は、前述した従来技術が有する欠点を解消し得る香り提示装置を提供することにある。
【課題を解決するための手段】
【０００７】
本発明は、香料を含有した芳香性液体組成物である香り見本を収容し、収容した該香り見本の香りを外部に放出させる香り提示装置であって、第１開口部を有し香り見本を収容可能な第１収容部と、香り見本を収容可能な第２収容部と、前記第１収容部と前記第２収容部との間に位置する括れ部とを備える容器本体を備え、前記第１開口部は、前記容器本体の軸方向における前記括れ部と対向する位置に設けられており、且つ気体は通過させるが液体は通過させない第１通気性シートにより封止されており、前記容器本体は、前記第２収容部を上方に位置させると、前記第２収容部から前記第１収容部に前記括れ部を介して香り見本が流下又は滴下し、前記第１収容部を上方に位置させると、前記第１収容部から前記第２収容部に香り見本が前記括れ部を介して流下又は滴下すると共に、前記第１通気性シートに付着した香り見本から外部に香りが放出される、香り提示装置を提供するものである。
【発明の効果】
【０００８】
本発明の香り提示装置によれば、消費者に積極的に手に取ってもらうことが可能になり、香り見本から発する香りを、より多くの消費者に体験してもらうことができる。
【図面の簡単な説明】
【０００９】
【図１】図１は、本発明の一実施形態に係る香り提示装置の斜視図であり、香り見本が収容された一使用状態を示す図である。
【図２】図２は、図１に示す香り提示装置の分解斜視図である。
【図３】図３は、図１に示す香り提示装置のＩＩＩ−ＩＩＩ線断面図である。
【図４】図４は、図３に示す香り提示装置の括れ部の部分拡大断面図である。
【図５】図５は、本発明の一実施形態に係る香り提示装置が商品棚に載置された状態を模式的に示す斜視図である。
【図６】図６（ａ）は、図１に示す香り提示装置の正面図であり、図６（ｂ）は平面図である。
【図７】図７（ａ）は、香り提示装置の正面図であり、図７（ｂ）は（ａ）の平面図である。
【図８】図８は、本発明の他の実施形態における第１収容部側の一部破断分解斜視図である。
【発明を実施するための形態】
【００１０】
以下本発明を、その好ましい実施形態に基づき図面を参照しながら説明する。図１には、本発明の一実施形態に係る香り提示装置１の斜視図が示されており、図２には、図１に示す香り提示装置１の分解斜視図が示されている。また図３には、図１に示す香り提示装置１のＩＩＩ−ＩＩＩ線断面図が示されており、図４には、図３に示す括れ部２１の部分拡大断面図が示されている。
【００１１】
図１〜図３に示すように、本発明の一実施形態に係る香り提示装置１は、容器本体２と、第１及び第２通気性シート３ａ，３ｂと、第１及び第２係止部材４ａ，４ｂと、第１及び第２カバー部材５ａ，５ｂと、を備えている。
【００１２】
容器本体２は、香料を含有した芳香性液体組成物である液状の香り見本１０を収容可能な第１収容部２０ａ及び第２収容部２０ｂを備えており、細く狭まった括れ部２１を介して、第１収容部２０ａと第２収容部２０ｂとが軸方向Ｘの両側で対称となるように連結されている。
【００１３】
本実施形態では、香り提示装置１は、第１収容部２０ａを上にした状態及び第２収容部２０ｂを上にした状態のそれぞれで水平な台や棚等に載置可能な、所謂、砂時計型に形成されている。香り提示装置１を砂時計型に形成することで、消費者の興味をひくことが可能になり、例えば、消費者が香り提示装置１を手に取ってひっくり返す等の行為を行うことを促進することが可能になる。即ち、香り提示装置１を消費者に積極的に手に取ってもらうことが可能になる。同様の観点から、香り提示装置１は、第１収容部２０ａ及び第２収容部２０ｂのいずれを鉛直方向の上方に位置させた状態においても、水平面上に自立させることが可能であることが好ましい（図５参照）。
香り提示装置１の大きさは、上述の観点に加え、移動状態（流下又は滴下する状態）やその量等を消費者に容易に目視させる観点から、例えば、第１収容部２０ａの第１開口部２２ａ及び第２収容部２０ｂの第２開口部２２ｂの外径が１０〜５０ｍｍ、括れ部の外径が５〜１５ｍｍ、軸方向Ｘの長さが４０〜１００ｍｍであることが好ましい。第２収容部２０ｂが第２開口部２２ｂを有する場合及び有しない場合のいずれにおいても、第１収容部２０ａ及び第２収容部２０ｂは、それぞれの最大径が１０〜５０ｍｍであることが好ましく、それぞれの最大径が、括れ部２１の外径の１．５倍以上１０倍以下、より好ましくは２倍以上１０倍以下であることが好ましい。括れ部２１の外径は、最小径部分の外径とする。また第１収容部２０ａ、第２収容部２０ｂ及び括れ部２１の軸方向に直交する輪郭の形状が非円形の場合は、円相当径（当該輪郭の内側の面積と同一面積の円の直径）を外径とする。
【００１４】
また本実施形態では、容器本体２は、その内部を視認可能な光透過性を有する有色透明に形成されている。容器本体２の内部を視認可能に形成することで、第１収容部２０ａ及び第２収容部２０ｂに収容された液状香り見本１０の移動状態（流下又は滴下する状態）やその量等を消費者が容易に目視することができ、砂時計のような形状及び動きをする香り提示装置１により一層の興味を持たせることができる。なお、本実施形態では、容器本体２を有色透明としたが、容器本体としては、無色透明としても良く、収容された芳香性液体組成物剤が消費者に目視可能であれば半透明であっても良い。また、液状香り見本１０の流下とは、筋状に流れ落ちることを含む。また、容器本体２が有色である場合、液状香り見本１０の色と異なる色とすることで、移動状態を視認しやすくなる。
【００１５】
第１収容部２０ａには、容器本体２の軸方向Ｘにおける括れ部２１と対向する位置に第１開口部２２ａが形成されている。第１開口部２２ａは、第１収容部２０ａの内部空間２３ａと外部とを連通させている。また第１収容部２０ａは、図３に示すように、内部空間２３ａが第１開口部２２ａから括れ部２１に向かって漸次小さくなるように形成されている。具体的には、第１収容部２０ａは、第１開口部２２ａから括れ部２１に向かって、内部空間２３ａの軸方向Ｘと直交する断面積が漸次小さくなるように形成されている。第１収容部２０ａの内部空間２３ａが括れ部に向かって漸次小さくなることで、第１収容部２０ａに収容された液状香り見本１０が括れ部２１に向かって流れやすくなる。
【００１６】
第１開口部２２ａの外縁部には、前述した第１係止部材４ａと係合可能な第１被係合部２４ａが形成されている。第１被係合部２４ａは、円環状に形成されており、外径が第１係止部材４ａの内径よりも僅かに小さくなるように形成されている。本実施形態では、第１被係合部２４ａは、該第１被係合部２４ａの外周面と第１係止部材４ａの内周面との間に第１通気性シート３ａを挟むことが可能な隙間が設けられる大きさに形成されている。
【００１７】
図３に示すように、第１被係合部２４ａの下方（括れ部２１側）には、第１カバー部材５ａを螺合可能な第１螺合部２５ａが形成されている。第１螺合部２５ａは、第１被係合部２４ａの外周面よりも、容器本体２の軸方向Ｘと直交する外方に位置しており、第１被係合部２４ａの外周面よりも外方側で第１カバー部材５ａと螺合されるようになっている。
【００１８】
また第１螺合部２５ａには、第１カバー部材５ａの内面に形成された後述する螺合溝５３と螺合可能な第１被螺合溝２６ａが形成されている。第１被螺合溝２６ａは、第１カバー部材５ａを反時計回り（左回り）に回転させることで第１カバー部材５ａと螺合し、第１カバー部材５ａを時計回り（右回り）に回転させることで、第１カバー部材５ａを取り外すことができるようになっている。このように、第１螺合部２５ａ及び第１カバー部材５ａとは、一般的な回転方向とは逆方向に、第１カバー部材５ａを回転させることで螺合又は取り外しできるようになっており、第１カバー部材５ａが消費者によって不要に取り外されないようになっている。
【００１９】
第１被螺合溝２６ａの下方（括れ部２１側）には、螺合させた第１カバー部材５ａの螺合位置を規制する第１ストッパ部２７ａが設けられている。第１ストッパ部２７ａは、第１カバー部材５ａを係止することで第１カバー部材５の螺合位置を規制する。
【００２０】
第２収容部２０ｂは第１収容部２０ａと同様の構成であるため、ここではその説明を省略する。また第２収容部２０ｂの各構成部材等については、第１収容部２０ａの説明で「第１」を付したものについては「第１」の代わりに「第２」を付し、第１収容部２０ａの説明で符号の末尾に「ａ」を付したものについては「ａ」の代わりに「ｂ」を付して用いるものとする。
【００２１】
図３及び図４に示すように、括れ部２１は、第１収容部２０ａの内部空間２３ａと第２収容部２０ｂの内部空間２３ｂとを連通させる第１連通管２８及び第２連通管２９を備えている。括れ部２１は、第１連通管２８及び第２連通管２９を介して、第１収容部２０ａと第２収容部２０ｂとを連通させている。
第１連通管２８及び第２連通管２９は、軸方向が容器本体２の軸方向Ｘに沿うように配されると共に、第１連通管２８と第２連通管２９とは、軸方向Ｘと直交する方向に並んで配されている。
【００２２】
第１連通管２８は、内面側の縦断面形状が略円錐台状に形成されており、収容された液状香り見本１０が好適な移動速度で移動するように、第２収容部２０ｂから第１収容部２０ａに向かって内径が徐々に小さくなるように形成されている。具体的には、図４に示すように、第１連通管２８の形状は、軸方向Ｘに沿う中心軸Ｘ１方向の長さＨ１が６〜１２ｍｍ、該中心軸Ｘ１に対する内面の傾斜角度θ１が０．５〜６度、第１開孔部２８ａの直径が１．５〜７ｍｍ、第２開孔部２８ｂの直径が３〜１０ｍｍであることが好ましい。
ここで、好適な移動速度とは、液状香り見本１０が流下又は滴下した状態で移動する速度である。第２収容部２０ｂから第１収容部２０ａに向かって液状香り見本１０が滴下又は流下する移動速度としては、０．５〜２ｃｃ／ｓｅｃが好ましい。０．５〜２ｃｃ／ｓｅｃの移動速度にすると、例えば、内容量１０ｃｃの液状香り見本１０が約９秒で流下又は滴下することで、消費者は液状香り見本の状態を容易に目視可能とさせることができる。
【００２３】
また、第１連通管２８は、第１開孔部２８ａが第１収容部２０ａの底面２１ａから突出した位置に設けられ、第２開孔部２８ｂが第２収容部２０ｂの底面２１ｂと略同一に位置するように設けられている。なお、第１収容部２０ａの底面２１ａとは、第１開口部２２ａと対向する面をいい、第２収容部２０ｂの底面２１ｂとは、第２開口部２２ｂと対向する面をいう。
【００２４】
第２連通管２９は、第１連通管２８と同様に、内面の縦断面形状が略円錐台状に形成されており、収容された液状香り見本１０が好適な移動速度で移動するように、第１収容部２０ａから第２収容部２０ｂに向かって内径が徐々に小さくなるように形成されている。具体的には、図４に示すように、第２連通管２９の形状は、前述の第１連通管２８と同様に、軸方向Ｘに沿う中心軸Ｘ２方向の長さＨ２が６〜１２ｍｍ、該中心軸Ｘ２に対する内面の傾斜角度θ２が０．５〜６度、第２開孔部２９ｂの直径が１．５〜７ｍｍ、第１開孔部２９ａの直径が３〜１０ｍｍであることが好ましい。
第１連通管２８の形状と、第２連通管２９の形状は同じであっても異なってもよい。すなわち、両者の形状が異なることは、液状香り見本１０が第２連通管２９を通り、第１収容部２０ａから第２収容部２０ｂに向かって滴下又は流下する移動速度が異なることになる。好ましくは、両者の形状が略同一で、第１収容部２０ａ及び第２収容部２０ｂのいずれを上にした場合でも、液状香り見本１０は同じ速度で移動することが好ましい。
【００２５】
また、第２連通管２９は、第１連通管２８と同様に、第１開孔部２９ａが第１収容部２０ａの底面２１ａと略同一の位置に位置し、第２開孔部２９ｂが第２収容部２０ｂの底面２１ｂから突出した位置に位置するように配されている。
【００２６】
このように、第１連通管２８と第２連通管２９とは、第１収容部２０ａ及び第２収容部２０ｂでの開孔位置が、第１収容部２０ａ及び第２収容部２０ｂそれぞれの中で異なる高さに位置している。そのため、香り提示装置１を反転させた際に、第１連通管２８及び第２連通管２９の一方（開孔位置が低い方）から積極的に液状香り見本１０を流下又は滴下させ、第１連通管２８及び第２連通管２９の他方（開孔位置が高い方）から空気を移動させることが可能になる。これにより、第１連通管２８又は第２連通管２９から好適に液状香り見本１０を流下又は滴下させることができる。
【００２７】
第１通気性シート３ａは、気体は通過させるが液体は通過させないシートにより構成されており、本実施形態では、多孔質フィルム３０の一面に繊維層３１を貼り合わせてなる複合シートにより構成されている。第１通気性シート３ａは、第１開口部２２ａを封止する場合には、繊維層３１が外面を向くように配される。なお、以下においては、多孔質フィルム３０の面のうち、繊維層３１との貼合せ面を外面といい、繊維層３１との貼合せ面と反対の面を内面という。
【００２８】
多孔質フィルム３０は、外面が親水性になっている。多孔質フィルム３０の外面が親水性となっている第１通気性シート３ａを用いることで、例えば、多孔質フィルム３０の内面に液状香り見本１０が接触した際に、液状香り見本１０が多孔質フィルム３０の微細孔を通じて外部に染み出す前に、液状香り見本１０を外面の平面方向に拡散させることができる。平面方向に拡散した液状香り見本１０は、空気と接触する面積が増大するので、その乾燥速度が高まり、繊維層３１をドライな状態に保持することができる。また、液状香り見本１０の染み出しを防止する観点から、多孔質フィルム３０の内面は疎水性であることが好ましい。
多孔質フィルム３０としては、透湿性シートとして通常用いられるものと同様のものを特に制限なく用いることができる。例えば、熱可塑性樹脂及び炭酸カルシウム等のフィラーを含む樹脂組成物から得られた成形シートを一軸又は二軸延伸して得られるフィルムを用いることができる。
【００２９】
多孔質フィルム３０の外面における平面方向へ液状香り見本１０を拡散させる観点から、繊維層３１は、疎水性であることが好ましい。同様の観点から、繊維層３１が疎水性であることに加えて、該繊維層３１の坪量が２０ｇ／ｍ２以上であることが好ましい。具体的には、繊維層３１の坪量は、２０〜５０ｇ／ｍ２が好ましく、より好ましくは２５〜５０ｇ／ｍ２、さらに好ましくは２８〜４０ｇ／ｍ２である。
繊維層３１としては、各種合成繊維を原料とする繊維や、レーヨンなどの再生繊維、コットン及びパルプ等の天然繊維などを用いることができる。繊維層３１を疎水性とする場合には、疎水性の合成繊維を原料とする繊維を用いることが好ましい。繊維層３１の形態としては、ウェブ、該ウェブ中の繊維好転を固定化して得られた不織布、織布、編布などを特に制限なく用いることができる。
【００３０】
また、第１通気性シート３ａとしては、上述した複合シート以外にも、単層の通気性シートを用いることもできる。単層の通気性シートとしては、樹脂製の多孔質シートや通気孔を有する樹脂性のシートを用いることができ、例えば、ポリエチレン、ポリプロピレン、エチレン酢酸ビニル共重合体等の樹脂製のシートを用いることができる。具体的には、樹脂製の多孔質シートとしては、熱可塑性樹脂及び該樹脂と相溶性のない有機又は無機のフィラーの溶融混練物をフィルム状に形成し、一軸又は二軸延伸して得られたものであり、微細な多孔質構造になっているものを用いることができる。
通気性シートの厚みは、５μｍ以上１０００μｍ以下であることが好ましい。
【００３１】
第１通気性シート３ａの通気度は、１０００秒以上とすることが好ましく、１００００秒以上とすることがより好ましく、また、匂いの質の観点から１０００００秒以下とすることが好ましく、５００００秒以下とすることがことさら好ましい。第１通気性シート３ａの通気度は、１０００秒以上１０００００秒以下であることが好まく、１００００秒以上５００００秒以下であることがより好ましい。なお、通気度は、ＪＩＳ  Ｐ８１１７（２００９年改正版）によって測定される値であり、一定の圧力のもとで１００ｍｌの空気が６．４５ｃｍ２の面積を通過する時間で定義される。通気度は、王研式通気度針若しくはそれに準じた測定器で測定することができる。
【００３２】
また、本実施形態では、図３に示すように、第１被係合部２４ａの外周面と第１係止部材４ａの内周面との間の隙間に第１通気性シート３ａを挟んで固定したが、第１通気性シート３ａの外面側及び内面側のそれぞれに円環状のパッキンを介在させて第１通気性シート３ａを固定してもよい。この場合、第１係止部材４ａを用いて第１通気性シート３ａ及びパッキンを固定してもよく、第１カバー部材５ａを用いて第１通気性シート３ａ及びパッキンを固定してもよい。
【００３３】
第１通気性シート３ａの外面側及び内面側にパッキンを配する場合、外面側のパッキンと内面側のパッキンの内径は同じであってもよく、異なっていてもよい。例えば、図８に示すように、内面側の第１パッキン６ａの内径を外面側の第２パッキン７ａの内径よりも大きくしてもよく、外面側の第２パッキン７ａの内径を内側の第１パッキン６ａの内径よりも大きくしてもよい。
このように、第１通気性シート３ａの外面側及び内面側に内径の異なる第１パッキン６ａ及び第２パッキン７ａを配することで、香り見本１０の香りの強さや揮散量を調整することができる。
【００３４】
また、第１通気性シート３ａと第１パッキン６ａとの接合方法は、ヒートシール、接着剤、あるいは超音波融着等によりおこなうことができる。同様に、第１通気性シート３ａと第２パッキン７ａとの接合方法は、ヒートシール、接着剤、あるいは超音波融着等によりおこなうことができる。
【００３５】
第１パッキン６ａ及び第２パッキン７ａとしては、独立気泡構造を持つ樹脂製の発砲シートを用いることができ、例えば、ポリエチレン等のポリオレフィン系樹脂を発砲させた発砲樹脂シートを用いることができる。ガスを用いた発砲樹脂シートの発砲倍率は、２倍以上３倍以下が好ましい。また第１パッキン６ａ及び第２パッキン７ａは、樹脂成型したものをそのまま用いることもできるが、ＰＥＴ，ＰＰ，ＰＥ，ＡＬ及びテフロン（登録商標）等を用いたラミネート加工が施されたものが好ましい。第１パッキン６ａ及び第２パッキン７ａの厚みは、０．５ｍｍ以上３ｍｍ以下であることが好ましい。
また、同一または異なる通気度の通気シートを、２枚以上重ねて使用することもできる。２以上の通気シートを使用する場合は、通気シートだけを重ねてもよく、通気シートの間に上述のパッキンを挟んでもよい。
【００３６】
第２通気性シート３ｂは、第１通気性シート３ａと同様の構成であるため、ここではその説明を省略する。また第２通気性シート３ｂの各構成部材等については、第１通気性シート３ａの説明で「第１」を付したものについては「第１」の代わりに「第２」を付し、第１通気性シート３ａの説明で符号の末尾に「ａ」を付したものについては「ａ」の代わりに「ｂ」を付して用いるものとする。また第２通気性シート３ｂに関しても、該第２通気性シート３ｂの外面側及び内面側のそれぞれ、あるいは外面側に上述のパッキンを介在させて該第２通気性シート３ｂを固定してもよい。
【００３７】
図２に示すように、第１係止部材４ａは、第１開口部２２ａを封止した第１通気性シート３ａを容器本体２に係止可能に、前述した第１被係合部２４ａと係合可能に環状に形成されている。第１係止部材４ａは、第１被係合部２４ａの外周面と係合可能に形成された外面係合部４０と、第１係止部材４ａの外縁部と係合可能に係合された外縁係合部４１とを有している。
外面係合部４０は、第１通気性シート３ａを介して第１係止部材４ａを第１被係合部２４ａに係合させた場合に、第１被係合部２４ａの外周面とで第１通気性シート３ａを挟持した状態で固定可能に形成されている。つまり、外面係合部４０は、第１被係合部２４ａの外周面と直交する方向から第１通気性シート３ａを押さえるように固定する。
外縁係合部４１は、外面係合部４０の端部から内方に向かって延出しており、第１通気性シート３ａを介して第１係止部材４ａを第１被係合部２４ａに係合させた場合に、第１被係合部２４ａの外縁部とで第１通気性シート３ａを挟持した状態で固定可能に形成されている。つまり、外縁係合部４１は、第１通気性シート３ａを上方から押さえるように固定する。
【００３８】
第２係止部材４ｂは、第１係止部材４ａと同様の構成であるため、ここではその説明を省略する。また第２係止部材４ｂの各構成部材等については、第１係止部材４ａの説明で「第１」を付したものについては「第１」の代わりに「第２」を付し、第１係止部材４ａの説明で符号の末尾に「ａ」を付したものについては「ａ」の代わりに「ｂ」を付して用いるものとする。
【００３９】
図２に示すように、第１カバー部材５ａは、第１開口部２２ａを被覆する第１通気性シート３ａの表面を被覆する被覆部５０と、前述した第１螺合部２５ａと螺合可能な螺合部５１とを備えている。
【００４０】
被覆部５０には、該被覆部５０を貫通する複数の貫通孔５２が形成されている。本実施形態においては、複数の貫通孔５２のそれぞれは、ハニカム形状を主体に形成されている。具体的には、本実施形態では、外周方向に配された貫通孔以外の貫通孔をハニカム形状に形成している（図６（ｂ）参照）。
【００４１】
なお、本実施形態では、複数の貫通孔５２をハニカム形状を主体に形成したが、本発明においては、複数の貫通孔を用いて所定の模様等を模したものにしても良い。例えば、液状香り見本の香りを所定のシャンプーの香りと同じにした場合においては、複数の貫通孔５２を用いて、該所定のシャンプーのブランドロゴを模したものにしても良い。複数の貫通孔５２を用いて、被覆部５０にブランドロゴ等を模することで、消費者に、より一層の興味を持たせることが可能になる。また、被覆部を見ただけで、どのブランドの香りかを認識することが可能になり、消費者に香り提示装置１を手に取ってもらうことができるようになることが期待できる。
【００４２】
螺合部５１には、第１螺合部２５ａに形成された第１被螺合溝２６ａと螺合可能な螺合溝５３が形成されている。第１カバー部材５ａは、第１被螺合溝２６ａに螺合溝５３を螺合させ、第１ストッパ部２７ａに螺合位置が規制されることで、第１螺合部２５ａに固定される。なお、螺合部５１における螺合方向は前述した通りである。
【００４３】
第２カバー部材５ｂは、第１カバー部材５ａと同様の構成であるため、ここではその説明を省略する。また第２カバー部材５ｂの各構成部材等については、第１カバー部材５ａの説明で「第１」を付したものについては「第１」の代わりに「第２」を付し、第１カバー部材５ａの説明で符号の末尾に「ａ」を付したものについては「ａ」の代わりに「ｂ」を付して用いるものとする。
【００４４】
香り提示装置１に収容される液状香り見本１０としては、溶媒に香り見本の対象となる製品と同じ香料を溶媒で希釈させたものが用いられている。溶媒としては、プロピレングリコール、ジプロピレングリコール、トリプロピレングリコール、エチレングリコール、ジエチレングリコール、グリセリン、クエン酸トリエチル、トリアセチン、ミリスチン酸ベンジル、ミリスチン酸イソプロピル、パルミチン酸イソプロピル、フタル酸ジエチル、安息香酸ベンジル、ファルネセン等が用いられる。水を溶媒として用いる場合は、界面活性剤、可溶化剤及びそれらを組み合わせて、水系溶媒中に乳化または可溶化させることもできる。また、製品そのもの、もしくはそれを水等の香りを有しない溶媒で希釈したり、固形物であれば溶解することにより、さらに製品に近い香りを体験することもできる。また、洗浄剤のように水で希釈すると起泡する製品の場合は、水と共に、エタノール、エチレングリコール、プロピレングリコール、グリセリン等のアルコールを添加して希釈するか又は微量のシリコーンを添加することにより、起泡を抑制することもできる。さらに、液状香り見本としても香りが変わらない範囲で、それ自体の香りがあまり強くなく、粘度の低下に寄与する香料成分を配合することもできる。具体的には、リモネン、フェニルエチルアルコール、ベンジルアルコール等が挙げられる。
液状香り見本１０の粘度としては、ＴＶ１０型粘度計（VISCOMETER、ローターNo.１、３０ｒｐｍ、３０℃）で０．１ｍＰａ・ｓ〜１００ｍＰａ・ｓであることが好ましく、０．１ｍＰａ・ｓ〜５０ｍＰａ・ｓであることがより好ましい。
【００４５】
また、本実施形態では、溶媒に香料を含有させたものを用いたが、液状香り見本１０に色を付する場合には、色素を含有させて色つきの液状香り見本としても良い。色素を含有させる場合においては、更に水を加えて色素を溶解させると良い。
なお、香料としては、各種公知のものを用いることができ、調合香料、天然香料のいずれでもよい。具体的には、『香料と調香の基礎知識』（中島基貴編著，産業図書株式会社，１９９５年６月２１日初版）、『合成香料−化学と商品知識』（印藤元一著、化学工業日報社、２００５年３月２５日  増補改訂版）、『Perfume and Flavor Chemicals」（ステファン・アークテンダー著、自費出版、１９６９年）に記載されている香料を使用することができる。
【００４６】
次に、上述した本実施形態に係る香り提示装置１を使用した際の作用効果について説明する。図５には、本発明の実施形態に係る香り提示装置１が商品棚に載置された状態を模式的に示す斜視図が示されている。
【００４７】
図５に示すように、本実施形態に係る香り提示装置１は、該香り提示装置１に収容された液状香り見本１０と同じ香料が含有されたシャンプー、リンス、洗剤又は柔軟剤等の商品１１が陳列された商品棚１２の近くに展示される。例えば、商品棚１２の前方部分にホルダ１３を配し、該ホルダ１３上に載置された状態で展示される。ホルダ１３には、例えば、「反転させてね」等、消費者に香り提示装置１を反転させることを促す文字が印刷されており、消費者に積極的に手に取ってもらえるようになっている。
【００４８】
消費者が香り提示装置１を手に取ることで、上方に位置する第１開口部２２ａを封止する第１通気性シート３ａ又は第２開口部２２ｂを封止する第２通気性シート３ｂの表面に含浸した状態で付着した液状香り見本１０の香りを消費者に嗅がせることができ、消費者に、商品棚１２に陳列された商品１１と同じ香りを容易に体験させることができる。これにより、当該商品１１の購買意欲を向上させることが期待できる。
【００４９】
また、消費者が香り提示装置１を手に取って反転させた状態でホルダ１３に戻すと、例えば、上方に位置した第１収容部２０ａが下方に位置した状態になると共に、下方に位置した第２収容部２０ｂが上方に位置した状態になる。これにより、下方に位置した第２収容部２０ｂに溜まっていた液状香り見本１０が、第２収容部２０ｂの内壁に沿って括れ部２１側に移動する。括れ部２１側に移動した液状香り見本１０は、第２収容部２０ｂの底面と略同一の位置に位置する第１連通管２８の第２開孔部２８ｂを介して、第１収容部２０ａに流下又は滴下される。
【００５０】
第２収容部２０ｂの液状香り見本１０が第１連通管２８を介して第１収容部２０ａに流下又は滴下されると、第１収容部２０ａ内の空気が第２連通管２９を介して第２収容部２０ｂに移動する。これにより、第２収容部２０ｂの液状香り見本１０を、第１連通管２８を介して更に第１収容部２０ａに押し出す。これを繰り返すことで、液状香り見本１０が第１収容部２０ａに適当な移動速度で流下又は滴下される。
【００５１】
また、液状香り見本１０の流下又は滴下に伴って第１収容部２０ａから第２収容部２０ｂに移動した空気は、軸方向Ｘに沿って第２開口部２２ｂに向かって移動し、第２通気性シート３ｂに接触することで、第２通気性シート３ｂに含浸した状態で付着した液状香り見本を外部に向けて放出させる。このように、第１及び第２連通管２８，２９と第１及び第２開口部２２ａ，２２ｂとが軸方向Ｘで対向配置されることで、香り提示装置１を反転させた際に、香り提示装置１に収容された液状香り見本１０の香りを、第１通気性シート３ａ又は第２通気性シート３ｂから好適に放出させることができる。
【００５２】
以上説明したように、本実施形態に係る香り提示装置１によれば、消費者に香り提示装置１を積極的に手に取ってもらうことが可能になり、香り提示装置１の香りを、より多くの消費者に楽しんでもらうことができる。
【００５３】
以上、本発明をその好ましい実施形態に基づき説明したが、本発明は上述した実施形態に限定されない。
【００５４】
例えば、本実施形態においては、第１開口部２２ａを有する第１収容部２０ａと、第２開口部２２ｂを有する第２収容部２０ｂとを備えた容器本体２を用いたが、本発明においては、第１収容部２０ａ及び第２収容部２０ｂの何れか一方に開口部が設けられる構成であっても良い。第１収容部２０ａ及び第２収容部２０ｂの何れか一方に開口部を設ける場合、香り提示装置１を反転させた後、元の姿勢に戻して開口部が設けられていない収容部を下にして載置すると良い。
【００５５】
また本実施形態においては、２つの連通管（第１連通管２８及び第２連通管２９）を有する括れ部２１を用いたが、本発明においては、括れ部は３つ以上の連通管を有しても良い。３つ以上の連通管を有する場合においても、本実施形態と同様の効果を奏することができる。
【００５６】
また本実施形態においては、香り提示装置１は、第１収容部２０ａを上にした状態及び第２収容部２０ｂを上にした状態のそれぞれで載置可能に形成したが、第１収容部２０ａを上にした状態及び第２収容部２０ｂを上にした状態を支持可能な支持部材が別途設けられる構成の場合には、本実施形態のように香り提示装置１を載置可能に構成しなくても良い。
【００５７】
図６（ａ）及び図６（ｂ）に示す香り提示装置は、香り見本を収容することによって、本発明の一実施形態である香り提示装置として使用することができるほか、香り見本であるか否かを問わずに香料を含む芳香性液体組成物や液状芳香剤を収容して使用することができる。すなわち、芳香剤容器として使用することができる。図６（ａ）に示す香り提示装置又は芳香剤容器の背面図、右側面図及び左側面図は、図６（ａ）に示す正面図と同一に表れ、図６（ｂ）に示す香り提示装置又は芳香剤容器の底面図は、図６（ｂ）に示す平面図と同一に表れる。また、図６に示す香り提示装置又は芳香剤容器は、第１収容部及び第２収容部を形成する部分が透明又は半透明である。
【００５８】
図７（ａ）及び図７（ｂ）に示す香り提示装置は、香り見本を収容することによって、本発明の一実施形態である香り提示装置として使用することができるほか、香り見本であるか否かを問わずに香料を含む芳香性液体組成物や液状芳香剤を収容して使用することができる。すなわち、芳香剤容器として使用することができる。図７（ａ）に示す香り提示装置又は芳香剤容器の背面図、右側面図及び左側面図は、図７（ａ）に示す正面図と同一に表れ、図７（ｂ）に示す香り提示装置又は芳香剤容器の底面図は、図７（ｂ）に示す平面図と同一に表れる。また、図７（ａ）及び図７（ｂ）に示す香り提示装置又は芳香剤容器は、第１収容部及び第２収容部を形成する部分が透明又は半透明である。
図８は、図７（ａ）及び図７（ｂ）に示す香り提示装置又は芳香剤容器の第１収容部側の一部破断分解斜視図である。図８に示す香り提示装置又は芳香剤容器は、主として第１収容部側の構成を示しているが、第２収容部側も第１収容部側と同様の構成を有している。
【符号の説明】
【００５９】
１  香り提示装置
２  容器本体
２０ａ  第１収容部
２０ｂ  第２収容部
２１  括れ部
２２ａ  第１開口部
２２ｂ  第２開口部
３ａ  第１通気性シート
３ｂ  第２通気性シート
３０  多孔質フィルム
３１  繊維層
４ａ  第１係止部材
４ｂ  第２係止部材
５ａ  第１カバー部材
５ｂ  第２カバー部材
５２  貫通孔
１０  液状香り見本
Ｘ  軸方向 
【図１】
2018016410.tif 000003
【図２】
2018016410.tif 000004
【図３】
2018016410.tif 000005
【図４】
2018016410.tif 000006
【図５】
2018016410.tif 000007
【図６】
2018016410.tif 000008
【図７】
2018016410.tif 000009
【図８】
2018016410.tif 000010